(57)【特許請求の範囲】
【請求項１】
正面に映像を表示する表示パネルと、該表示パネルの周縁を囲繞する枠体が複数の杆状部材における夫々の端部同士を突き合わせて連結して構成してある表示装置において、
前記杆状部材は、
前記表示パネルの背面を覆う被覆部材に前記杆状部材を外側からビス止めするための挿入孔と、
前記夫々の端部に長手方向に延びる蟻溝と、
該蟻溝に対応する断面形状を有する連結部材と、
前記蟻溝と連結部材との対向部分に凹凸嵌合により長手方向の相対移動を規制する規制部とを備え、
前記連結部材は、凸片を設けた面に対して反対の面に切除された切り欠き部を
備えることを特徴とする表示装置。
【請求項２】
前記規制部は、前記蟻溝の底面と前記連結部材との対向部分に設けられている
ことを特徴とする請求項１に記載の表示装置。
【請求項３】
前記規制部は、前記蟻溝の側面と前記連結部材との対向部分に設けられている
ことを特徴とする請求項１又は請求項２に記載の表示装置。
【請求項４】
前記挿入孔は、前記夫々の端部から前記杆状部材の長さの１／６０〜６／６０の位置に
離隔した位置に設けられている
ことを特徴とする請求項１から請求項３のいずれか１つに記載の表示装置。
【発明の詳細な説明】
【技術分野】
【０００１】
本発明は、映像を表示する表示パネルの周縁部が、複数の杆状部材を連結して構成され
たフレームによって囲繞してある表示装置に関する。
【背景技術】
【０００２】
表示画面の大きさに比べて室内の占有面積が小さい薄型の表示装置は、限られた室内空間を有効に利用することができることから、一般に広く普及している。表示装置は、映像を表示する表示パネルと、該表示パネルの周縁を囲繞するフレームを備えている。該フレームは複数の杆状部材における夫々の端部同士を突き合わせて連結して構成されている。
【０００３】
例えば、特許文献１に記載のテレビジョン受信機（表示装置）は、四つのフレーム構成片（杆状部材）からなる。フレーム構成片の端部それぞれに凹溝が形成してあり、一及び他のフレーム構成片に係る凹溝それぞれに、Ｌ形のガイド部材の一端部及び他端部を挿入し、フレーム構成片それぞれとガイド部材とをねじで連結している。
【先行技術文献】
【特許文献】
【０００４】
【特許文献１】特開２００８−１３６０６８号公報
【発明の概要】
【発明が解決しようとする課題】
【０００５】
しかし、特許文献１に記載の表示装置は、表示パネルが設けられた面（正面）から後フレーム構成片にねじを螺入するため、フレームの幅を少なくともねじの頭以上取る必要があり狭額縁化の妨げとなっていた。
【０００６】
本発明は斯かる事情に鑑みてなされたものであり、その目的とするところは、狭額縁化を可能とするキャビネット構造を備える表示装置を提供することにある。
【課題を解決するための手段】
【０００８】
本発明に係る表示装置は、正面に映像を表示する表示パネルと、該表示パネルの周縁を囲繞する枠体が複数の杆状部材における夫々の端部同士を突き合わせて連結して構成してある表示装置において、前記杆状部材は、前記表示パネルの背面を覆う被覆部材に前記杆状部材を外側からビス止めするための挿入孔と、前記夫々の端部に長手方向に延びる蟻溝と、該蟻溝に対応する断面形状を有する連結部材と、前記蟻溝と連結部材との対向部分に凹凸嵌合により長手方向の相対移動を規制する規制部とを備え、前記連結部材は、凸片を設けた面に対して反対の面に切除された切り欠き部を備えることを特徴とする。
【０００９】
本発明に係る表示装置は、前記規制部は、前記蟻溝の底面と前記連結部材との対向部分に設けられていることを特徴とする。
【００１０】
本発明に係る表示装置は、前記規制部は、前記蟻溝の側面と前記連結部材との対向部分に設けられていることを特徴とする。
【００１１】
本発明に係る表示装置は、前記挿入孔は、前記夫々の端部から前記杆状部材の長さの１／６０〜６／６０の位置に離隔した位置に設けられていることを特徴とする。
【発明の効果】
【００１２】
本発明によれば、杆状部材は被覆部材に側面からビス止めするための挿入孔を設けてある。このことにより狭額縁化を可能とするキャビネット構造を備える表示装置を提供することができる。
【図面の簡単な説明】
【００１３】
【図１】実施の形態１に係る表示装置の正面図である。
【図２】実施の形態１に係る表示装置の背面図である。
【図３】表示装置の左側上部を縁取る第１杆状部材、第２杆状部材を示す説明図である。
【図４】第１杆状部材、第２杆状部材の連結手順を示す説明図である。
【図５】第１杆状部材、第２杆状部材の連結手順を示す説明図である。
【図６】バックライトシャーシに組み付けたフレームの左側上部を示す拡大斜視図である。
【図７】実施の形態２に係る第１杆状部材、第２杆状部材の連結手順を示す説明図である。
【図８】実施の形態２に係る第１杆状部材、第２杆状部材の連結手順を示す説明図である。
【図９】図１のＡ−Ａ線及びＢ−Ｂ線による断面図である。
【図１０】実施の形態３に係る連結部材を示す拡大斜視図である。
【図１１】実施の形態３に係る第１杆状部材、第２杆状部材の連結手順を示す説明図である。
【図１２】実施の形態３に係る第１杆状部材、第２杆状部材の連結手順を示す説明図である。
【図１３】実施の形態４に係る連結部材を示す拡大斜視図である。
【図１４】実施の形態５に係る連結部材を示す拡大斜視図である。
【発明を実施するための形態】
【００１４】
以下、本発明をその実施の形態を示す図面に基づいて詳述する。
【００１５】
実施の形態１
図１は、実施の形態１に係る表示装置の正面図である。図２は、実施の形態１に係る表示装置の背面図である。図示の表示装置は、矩形板状をなす画像表示用の液晶パネル（表示パネル）１を備える液晶表示装置である。以下の説明においては、液晶パネル１の画像表示面の側を前、他側を後とする。また、以下の説明で使用する上、下は、液晶パネル１を正面に置いた場合での上、下に対応し、同じく左、右は、液晶パネル１を正面に置いた場合での前側から見て左、右に対応する。
【００１６】
液晶パネル１には、矩形枠状のフレーム（枠体）１０が、正面（画像表示面）の周縁を適幅に亘って囲繞するように組み付けてある。図１には、フレーム１０の枠内に露出する液晶パネル１の画像表示面のみが示されている。フレーム１０は、短辺を縁取る二つの第１杆状部材３１、３１と、長辺を縁取る延びる二つの第２杆状部材３２、３２とを備える。フレーム１０は第１杆状部材３１、３１及び第２杆状部材３２、３２における夫々の端部同士を突き合わせて連結して後述の如く組み立てられている。液晶パネル１の背面側は、光源の外筐を構成するバックライトシャーシ（被覆部材）２０（図３参照）により覆われている。図２に示すようにバックライトシャーシ２０の背面側は、キャビネット７０によって覆われている。バックライトシャーシ２０はフレーム１０に後述の如く組み付けられる。
【００１７】
図１、図２に示す表示装置は、バックライトシャーシ２０の後面に取付けた受信部４及び信号処理部５を備えるテレビジョン受信機として構成されている。受信部４は、図示しないアンテナに接続され、該アンテナを介してテレビジョン放送を受信する。信号処理部５は、受信部４が受信したテレビジョン放送に係るデータを復調し、復調したデータから画像データを分離し、分離した画像データを出力する。液晶パネル１は、信号処理部５が出力した画像データに基づく画像を画像表示面に表示する。
【００１８】
表示装置は、更にスタンド６を備えている。スタンド６は、キャビネット７０の下辺の中央部から左部及び右部に離隔した位置に垂直に突き出す脚柱６１の夫々の先端に、該脚柱６１の先端に対して略垂直に左右方向に長く上下方向に短い柱状の連設部６２を連設し、連設部の左右の端から下方に立設する脚部６３を連設してなる。表示装置は、載置面上にスタンド６を介して支持し、液晶パネル１の画像表示面を縦姿勢に保って使用される。
【００１９】
図３は表示装置の左側上部を縁取る第１杆状部材３１、第２杆状部材３２を示す説明図である。図４、図５は第１杆状部材３１、第２杆状部材３２の連結手順を示す説明図である。図３に示すように、第１杆状部材３１は一面を前側に向けた前板部３１１と、該前板部３１１の左縁に連設されて後ろ側に略直角に突設された側板部３１２とを備える。図４に示すように、前板部３１１は上端部（突き合わせ端部）に外向きに設けられた取り付け部（凸片）３１３を備える。取り付け部３１３は、前板部３１１の略半分の厚さを有する矩形の板状であり、左側及び下側に設けられた段差部３１５を介して前板部３１１に連設している。側板部３１２は側面からネジ（ビス）止めするためのネジ通し孔３１４を上端部から下方に離隔された位置に備える。
【００２０】
図３に示すように、第２杆状部材３２は一面を前側に向けた前板部３２１と、該前板部３２１の上縁に連設されて後ろ側に略直角に突設された側板部３２２とを備える。図４に示すように、前板部３２１は左端部（突き合わせ端部）に外向きに設けられた取り付け部（凹部）３２３を備える。取り付け部３２３は、前板部３２１の略半分の厚さを有する矩形の板状であり、右側及び上側に設けられた段差部３２５を介して前板部３２１に連設している。取り付け部３２３の形状及び前後方向の厚みは取り付け部３１３に対応づけられている。側板部３２２は側面からネジ（ビス）止めするためのネジ通し孔３２４を左端部から右方に離隔された位置に備える。バックライトシャーシ２０はネジ通し孔３２４に対応づけられ、右上の角から右部に離隔された位置にネジ孔２１と、ネジ通し孔３１４に対応づけられ、右上の角から下部に離隔された位置にネジ孔２２とを備える。
【００２１】
図６はバックライトシャーシ２０に組み付けたフレーム１０の左側上部を示す拡大斜視図である。図４、図５、図６に示すようにフレーム１０をバックライトシャーシ２０に組み付ける場合、まず、２つの第１杆状部材３１と２つの第２杆状部材３２とについて、第１杆状部材３１の取り付け部３１３を第２杆状部材３２の取り付け部３２３に嵌め込み、第１杆状部材３１と第２杆状部材３２とを固定することによって、中空の四角の枠の形を作る。そして、取り付け部３１３又は取り付け部３２３に接着剤を塗布し、四角形のフレーム１０を組み付ける。バックライトシャーシ２０への取り付け前にフレーム１０を組み付けるのは、４隅の取り付け精度を向上させるためである。
【００２２】
次に、連結した第１杆状部材３１と第２杆状部材３２とをバックライトシャーシ２０の側面に固定され、ネジ通し孔３１４及びネジ孔２１、ネジ通し孔３２４及びネジ孔２２を通してバックライトシャーシ２０の側面にネジ７１、７１を螺入することにより、フレーム１０はバックライトシャーシ２０に組み付けられる。ネジ通し孔３１４、３２４は端部分のガタつきを抑える適当な位置に設けられている。適当な位置とは側板部３１２の左右両端から側板部３１２の左右方向の長さの１／６０〜３／３０の位置又は側板部３２２の上下両端から側板部３１２の上下方向の長さの１／６０〜３／３０の位置に離隔した位置である。
【００２３】
また、フレーム１０の強度が取り付け部３１３と３２３とを接着することにより確保できる場合、ネジ孔２１、２２は異なる位置に設けてもよい。その際、バックライトシャーシ２０へのネジ止めは、万が一のための固定となる。そのような場合には、少なくとも第１杆状部材３１又は第２杆状部材３２のいずれか１つのネジ孔２１、２２の位置を取り付け部３１３と３２３とを接着した接着面から適切な位置に離すことが好適である。そうすることで、接着面は２つのネジからの無用な力がかかることを防ぐことができる。
【００２４】
なお、上述では、表示装置の左側上部についてのみ図示して説明をしたが、同様な構成が表示装置の右側上部、左側下部、右側下部に設けてある。
【００２５】
本実施形態によれば、フレーム１０が側面からネジ７１、７１を螺入するため、表示装置は前側にネジを設ける必要がないことにより狭額縁化が可能となる。
【００２６】
本実施形態によれば、フレーム１０は夫々の突き合わせ端部に外向きに設けられた取り付け部３１３及び取り付け部３２３を備え、取り付け部３１３は取り付け部３２３に嵌め込んで接着することで連結することにより、簡単に組付作業を行うことができる。
【００２７】
実施の形態２
図７、図８は実施の形態２に係る第１杆状部材３１、第２杆状部材３２の連結手順を示す説明図である。以下、特に説明する構成、作用以外の構成及び作用は実施の形態１と同等であり、簡潔のため記載を省略する。図７に示すように、フレーム１０はさらにＬ字形の連結部材３３を備える。連結部材３３は可撓性を有する素材で構成されており、例えばステンレス又は合成樹脂等からなる。連結部材３３は下方向に延びる板状部３３ａと、右方向に延びる板状部３３ｂとを備える。板状部３３ａ、３３ｂの幅は厚み方向の一端に向かうに従って狭くなっており、板状部３３ａの左右方向、板状部３３ｂの上下方向の断面形状は台形をなしている。板状部３３ａの下端、板状部３３ｂの右端には前側に突出した円状の凸部３３１、３３２を備える。
【００２８】
前板部３１１の上下の端部には前板部３１１の後ろ側に上下方向に平行な略矩形の挿入溝（蟻溝）３１ａが設けてある。挿入溝３１ａの左右方向の幅は板状部３３ａの幅と略同じ大きさに形成されている。また挿入溝３１ａの厚みは外側に向かって狭くなっており、挿入溝３１ａの断面形状は板状部３３ａと同様に台形をなしている。挿入溝３１ａと連結部材３３との対向部分に凹凸嵌合により長手方向の相対移動を規制する規制部が設けられている。具体的には前板部３１１の両端から離隔した位置における挿入溝３１ａの底面に設けられた円状の凹部３１ｂと、凹部３１ｂの位置に対応づけられ、凹部３１ｂと略同じ大きさに形成された凸部３３１とを嵌合することで挿入溝３１ａと連結部材３３との長手方向の相対移動を規制している。
【００２９】
図９は図１のＡ−Ａ線及びＢ−Ｂ線による断面図である。図９に示すように前板部３２１の左右の端部の後ろ側には左右方向に平行な略矩形の挿入溝（蟻溝）３２ａが設けてある。挿入溝３２ａの上下方向の幅は板状部３３ｂの幅と略同じ大きさに形成されている。また挿入溝３２ａの厚みは外側に向かって狭くなっており、挿入溝３２ａの断面形状は板状部３３ｂと同様に台形をなしている。前板部３２１の両端から離隔した位置における挿入溝３２ａの底面には円状の凹部３２ｂが設けてある。凹部３２ｂは連結部材３３の凸部３３２の位置に対応づけられ、凸部３３２と略同じ大きさに形成されている。
【００３０】
フレーム１０をバックライトシャーシ２０に組み付ける場合、板状部３３ａを第１杆状部材３１の挿入溝３１ａに摺動挿入し、板状部３３ｂを第２杆状部材３２の挿入溝３２ａに摺動挿入する。このとき連結部材３３の凸部３３１、３３２を第１杆状部材３１の凹部３１ｂ、第２杆状部材３２の凹部３２ｂに嵌合することで、第１杆状部材３１と第２杆状部材３２とを連結する。以下、フレーム１０をバックライトシャーシ２０に組み付ける組み付け方は実施の形態２と略同様であるため、簡潔のため記載を省略する。
【００３１】
なお、本実施形態において凸部３３１、３３２は円状としたが楕円、多角形等の適宜の形状としてもよい。また、本実施形態においては前板部３１１、３２１に凹部３１ｂ、凹部３２ｂを設け、連結部材３３に凸部３３１、３３２を設けたが、連結部材３３に凹部を設け、前板部３１１、３２１に凸部を設けてもよい。
【００３２】
本実施形態に係る表示装置は前板部３１１、３２１の凹部３１ｂ、凹部３２ｂと連結部材３３の凸部３３１、３３２とを嵌合することにより第１杆状部材３１と第２杆状部材３２とを連結することで狭額縁化が可能となる。
【００３３】
本実施形態に係る表示装置は挿入溝３１ａの底面に規制部を設けることにより、第１杆状部材３１と第２杆状部材３２とを連結することが容易となる。
【００３４】
実施の形態３
図１０は実施の形態３に係る連結部材３３を示す拡大斜視図である。以下、特に説明する構成、作用以外の構成及び作用は実施の形態２と同等であり、簡潔のため記載を省略する。連結部材３３は板状部３３ａ、３３ｂの中央部に開口された矩形状の貫通孔３３３、３３４と、連結部材３３は板状部３３ａ、３３ｂの内側の辺における貫通孔３３３、３３４の中央部に対向した位置に幅方向に突出した凸部３３５、３３６とを備える。
【００３５】
図１１、図１２は実施の形態３に係る第１杆状部材３１、第２杆状部材３２の連結手順を示す説明図である。図１１、図１２に示すように第１杆状部材３１はさらに挿入溝３１ａの側面に設けられた凹部３１ｃを備える。凹部３１ｃは凸部３３５の位置に対応づけられ、凸部３３５と略同じ大きさに形成されている。第２杆状部材３２はさらに挿入溝３２ａの側面に設けられた凹部３２ｃを備える。凹部３２ｃは凸部３３６の位置に対応づけられ、凸部３３６と略同じ大きさに形成されている。なお、本実施形態において第１杆状部材３１、第２杆状部材３２は凹部３１ｂ、凹部３２ｂを備えなくともよい。
【００３６】
フレーム１０をバックライトシャーシ２０に組み付ける場合、板状部３３ａを第１杆状部材３１の挿入溝３１ａに摺動挿入し、板状部３３ｂを第２杆状部材３２の挿入溝３２ａに摺動挿入する。このとき連結部材３３の凸部３３５、３３６を第１杆状部材３１の凹部３１ｃ、第２杆状部材３２の凹部３２ｃに嵌合することで、第１杆状部材３１と第２杆状部材３２とを連結する。以下、フレーム１０をバックライトシャーシ２０に組み付ける組み付け方は実施の形態２と略同様であるため、簡潔のため記載を省略する。
【００３７】
本実施形態に係る板状部３３ａ、３３ｂは幅方向に突出した凸部３３５、３３６を有しているため、第１杆状部材３１、第２杆状部材３２の前後方向の厚さが薄くても連結部材３３を連結させることができる。
【００３８】
実施の形態４
図１３は実施の形態４に係る連結部材３３を示す拡大斜視図である。以下、特に説明する構成、作用以外の構成及び作用は実施の形態３と同等であり、簡潔のため記載を省略する。連結部材３３はさらに凸部３３５、３３６を設けた面に対して反対の面に矩形状に切除された切り欠き部３３７、３３８を備える。なお、本実施形態において連結部材３３は貫通孔３３３、３３４を備えなくともよい。以下、フレーム１０をバックライトシャーシ２０に組み付ける組み付け方は実施の形態２と略同様であるため、簡潔のため記載を省略する。
【００３９】
本実施形態に係る板状部３３ａ、３３ｂは切り欠き部３３７、３３８によりさらに大きい可撓性を有しているため、挿入溝３１ａ、３２ａに容易に挿入することができる。
【００４０】
実施の形態５
図１４は実施の形態５に係る連結部材３３を示す拡大斜視図である。以下、特に説明する構成、作用以外の構成及び作用は実施の形態３と同等であり、簡潔のため記載を省略する。連結部材３３はさらに凸部３３５、３３６を設けた面に対して反対の面に半円状に切除された切り欠き部３３９、３４０を備える。以下、フレーム１０をバックライトシャーシ２０に組み付ける組み付け方は実施の形態２と略同様であるため、簡潔のため記載を省略する。
【００４１】
本実施形態に係る板状部３３ａ、３３ｂは切り欠き部３３９、３４０によりさらに大きい可撓性を有しているため、挿入溝３１ａ、３２ａに容易に挿入することができる。
【００４２】
本実施の形態に係る表示装置は、正面に映像を表示する表示パネル１と、該表示パネル１の周縁を囲繞する枠体１０が複数の杆状部材３１、３２における夫々の端部同士を突き合わせて連結して構成してある表示装置において、前記杆状部材３１、３２は前記表示パネル１の背面を覆う被覆部材２０に側面からビス止めするための挿入孔を設けてあることを特徴とする。
【００４３】
本実施形態によれば、フレーム１０が側面からネジ７１、７１を螺入するため、表示装置は前側にネジを設ける必要がないことにより狭額縁化が可能となる。
【００４４】
本実施の形態に係る表示装置は、前記杆状部材３１、３２は夫々の突き合わせ端部に外向きに設けられた凸片３１３及び凹部３２３を備え、前記凸片３１３と凹部３２３とを嵌め合わせて接着することで連結してあることを特徴とする。
【００４５】
本実施形態によれば、フレーム１０は夫々の突き合わせ端部に外向きに設けられた取り付け部３１３及び取り付け部３２３を備え、取り付け部３１３は取り付け部３２３に嵌め合わせて接着することで連結することにより、簡単に組付作業を行うことができる。
【００４６】
本実施の形態に係る表示装置は、前記杆状部材３１、３２は、夫々の突き合わせ端部に長手方向に延びる蟻溝３１ａ、該蟻溝３１ａに対応する断面形状を有する連結部材３３と、前記蟻溝３１ａと連結部材３３との対向部分に凹凸嵌合により長手方向の相対移動を規制する規制部とを備えることを特徴とする。
【００４７】
本実施形態に係る表示装置は前板部３１１、３２１の凹部３１ｂ、凹部３２ｂと連結部材３３の凸部３３１、３３２とを嵌合することにより第１杆状部材３１と第２杆状部材３２とを連結することで狭額縁化が可能となる。
【００４８】
本実施の形態に係る表示装置は、前記規制部は、前記蟻溝３１ａの底面と前記連結部材３３との対向部分に設けられていることを特徴とする。
【００４９】
本実施形態に係る表示装置は挿入溝３１ａの底面に規制部を設けることにより、第１杆状部材３１と第２杆状部材３２とを連結することが容易となる。
【００５０】
本実施の形態に係る表示装置は、前記規制部は、前記蟻溝３１ａの側面と前記連結部材３３との対向部分に設けられていることを特徴とする。
【００５１】
本実施形態に係る板状部３３ａ、３３ｂは幅方向に突出した凸部３３５、３３６を有しているため、第１杆状部材３１、第２杆状部材３２の前後方向の厚さが薄くても連結部材３３を連結させることができる。
【００５２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５３】
１  液晶パネル（表示パネル）
１０  フレーム（枠体）
２０  バックライトシャーシ（被覆部材）
２１  ネジ孔
２２  ネジ孔
３１  第１杆状部材
３１１  前板部
３１２  側板部
３１ａ  挿入溝（蟻溝）
３１ｂ  凹部
３１３  取り付け部（凸片）
３１４  ネジ通し孔
３１５  段差部
３２  第２杆状部材
３２１  前板部
３２２  側板部
３２ａ  挿入溝（蟻溝）
３２ｂ  凹部
３２３  取り付け部（凹部）
３２４  ネジ通し孔
３２５  段差部
３３  連結部材
３３１  凸部
３３２  凸部
３３３  貫通孔
３３４  貫通孔
３３５  凸部
３３６  凸部
３３７  切り欠き部
３３８  切り欠き部
３３９  切り欠き部
３４０  切り欠き部
４  受信部
５  信号処理部
６  スタンド
７０  キャビネット
７１  ネジ
【図１】
0005841581.tif 000002
【図２】
0005841581.tif 000003
【図３】
0005841581.tif 000004
【図４】
0005841581.tif 000005
【図５】
0005841581.tif 000006
【図６】
0005841581.tif 000007
【図７】
0005841581.tif 000008
【図８】
0005841581.tif 000009
【図９】
0005841581.tif 000010
【図１０】
0005841581.tif 000011
【図１１】
0005841581.tif 000012
【図１２】
0005841581.tif 000013
【図１３】
0005841581.tif 000014
【図１４】
0005841581.tif 000015